(57)【特許請求の範囲】
【請求項１】
少なくとも１台の電子装置５６と、遠隔監視ステーション６４とを備えた遠隔に位置する人を監視するシステムであって、
前記電子装置５６は、
前記電子装置５６の動作を指定する前記人からの一連の入力を受けるユーザ・インタフェイス７６と、
前記電子装置５６に付設されており、前記一連の入力を示す第一の信号５８を発生する第一のセンサと、
当該電子装置５６に付設されて前記第一のセンサに接続されており、前記第一のセンサからの前記第一の信号を受け取って、当該電子装置５６の前記人の利用を示すデータを発生するプロセッサ８２と、
該プロセッサ８２に接続されており、該プロセッサ８２から前記データを受け取って、該データにより符号化されたデータ信号８８を送信する送信器８６と
を含んでおり、
前記遠隔監視ステーション６４は、
前記少なくとも１台の電子装置５６から前記データを受け取り、前記データを記憶し、前記データを解析して前記人の認知能力を評価し、
前記認知能力の前記評価が、第一の期間に受け取った前記データに基づいて発生した第一の統計値と、前記第一の期間とは異なる第二の期間に受け取った前記データに基づいて発生した第二の統計値とを比較し、
前記第一の期間と前記第二の期間における前記人の認知能力の変化を評価することにより行われる、
遠隔に位置する人を監視するシステム。
【請求項２】
前記少なくとも１台の電子装置５６は前記人の住宅５２に配置された電子レンジであり、
前記評価は、前記ユーザ・インタフェイス７６に含まれる複数の制御部８０を前記人が選択した順序及び、前記選択の間での遅延タイミングの情報を含む、
請求項１に記載のシステム。
【請求項３】
前記住宅５２に付設されており、前記少なくとも１台の電子式電気製品５６から前記データ信号５８を受け取って、前記複数の電子式電気製品５６の各々からの前記データを含んでおり前記遠隔監視ステーション６４へ送信される合成データ信号６２を発生する通信中継器６０をさらに含んでいる請求項２に記載のシステム。
【請求項４】
前記人の利用を示す前記データが、前記人から前記一連の入力を受けた時刻を含む、
請求項２または３のいずれかに記載のシステム。
【請求項５】
前記電子装置５６の作動空間９２に付設された第二のセンサ８９をさらに含んでいる請求項４に記載のシステム。
【請求項６】
前記第二のセンサ８９は、前記人と前記電子装置５６との間の相互作用を示す第二の信号９４を発生し、前記プロセッサ８２は、前記第二のセンサ８９から前記第二の信号９４を受け取って、前記第二の信号９４を前記電子装置５６の前記人の利用を示す前記データに組み入れる、請求項５に記載のシステム。
【請求項７】
前記第二の信号９４は、前記作動空間９２に付設された扉に配置された活動センサである、請求項６に記載のシステム。
【請求項８】
前記第二のセンサ８９は圧力変換器である、請求項７に記載のシステム。
【請求項９】
前記人の認知能力の変化が、前記人と前記電子装置５６との間の相互作用の時間が長くなっていること、前記電子装置５６に物体を正しく出し入れしていない率の増大及び、前記ユーザ・インタフェイスを通じて前記電子装置５６を正しく動作させていない率の増大から看取され且つ／又は決定される、請求項２乃至８のいずれかに記載のシステム。
【請求項１０】
前記人の認知能力の変化の評価が、前記人の前記電子装置５６との相互作用の特定のパターンの判定を含む、請求項２乃至９のいずれかに記載のシステム。
【発明の詳細な説明】
【技術分野】
【０００１】
本開示は、健康監視の分野に関する。さらに具体的には、本開示は、人の認知能力を監視するための人に対する遠隔監視に関する。
【背景技術】
【０００２】
西欧文明諸国の人間は、医学の進歩及び予防医学に対する関心の高まりのため長寿化している。例えば、米国在住の高齢者数は増大しており、ベビー・ブーマー世代の高齢化に伴って米国の高齢者数は今後数十年にわたって著しく増大すると見られる。加えて、様々な精神的障碍及び身体的障碍に対する意識及び理解の高まりから、精神的能力及び／又は身体的能力は低下しているが独居している人々の数が増大している。
【０００３】
自宅に安全に心配なく住まうことについて不安を覚える独居高齢者及び障碍者は増加しつつある。独居高齢者及び障碍者にとっては、怪我をしたり動けなくなったりしたときに助けを求めることができないことへの不安が高まる。この不安は多くの場合に、独居高齢者及び／又は障碍者から離れて暮らしている家族も共有している。
【０００４】
現在、独居高齢者及び障碍者が抱える不安、並びに家族が抱える不安は、幾つかの手段によって対処されている。不安を和らげる一つの方法は、介護者による頻繁な自宅訪問によるものである。かかる訪問は侵入性で時間が掛かり、また多くの場合に不都合であったり喜ばれなかったりする。もう一つの方法は、高齢者又は障碍者が家を出てさらに十分に健康を監視してもらえる可能な施設に入居するものである。しかしながら、この方法は当該高齢者又は障碍者の自立を奪うものであり、費用も高く、多くの場合に歓迎されない。高齢者又は障碍者を監視するもう一つの方法は、自宅にいる人に対する技術的支援又は監視によるものである。
【先行技術文献】
【特許文献】
【０００５】
【特許文献１】米国特許第７１５４３９９号
【発明の概要】
【発明が解決しようとする課題】
【０００６】
自宅にいる人を支援するかかる技術的システムとして、個人用緊急応答システムがある。これらのシステムでは、高齢者又は障碍者個人が腕時計型装置、ペンダント型装置又は他の類似の装置を着用し、転倒のような緊急発生時にボタンを押す。ボタンを押すと警報信号が起動されて中央監視施設へ送信され、この施設が警報信号に応答することにより支援を与えると共にこの個人を呼び出して問題を識別する。この施設はまた、状況の必要に応じて、血縁者、近隣の人又は救急隊のような予め決められた連絡先一覧への緊急連絡を開始することができる。有用な業務ではあるが、これらのシステムは、個人が緊急ボタンを押す能力があるときに生ずる問題を識別するに過ぎない。
【０００７】
幾つかの公知の在宅監視システムは、例えば「日中」及び「夜間」の境界を任意に選択し、「日中」時間に予め決められた時間量にわたって活動が見られない場合に警報を送ることにより、屋内での異常に長い「静寂時間」のような異例の活動を検出することを試みている。これら公知の在宅監視システムは、居住者が在宅しているか外出しているかを示すために押すことのできるボタンを居住者に提供する。かかる公知のシステムはしばしば、居住者の実際の活動パターンを正確に反映することができない。さらに、在宅しているか外出しているかを示す居住者の責任能力がしばしば不十分であり、かかる公知のシステムでは偽警報率が高く、また感度も低い。
【０００８】
以上に述べたシステムは、緊急事態に応答するために人を監視する能力を提供することができるが、これらのシステムは、かかる監視システムの具現化形態から人の付加的な診断情報を何ら収集することができない。
【課題を解決するための手段】
【０００９】
本書では、所定位置の少なくとも一つのセンサを用いて人を監視するシステム及び方法の両方を開示する。
【００１０】
本システムの一実施形態では、システムは、少なくとも１台の電子装置と、遠隔監視ステーションとを含んでおり、遠隔監視ステーションは、少なくとも１台の電子装置からデータを受け取り、データを記憶して、健康評価を発生するためにデータを解析する。本実施形態では、電子装置は、当該電子装置に付設されている第一のセンサを含んでいてよく、このセンサは、人と電子装置との間の相互作用を示す第一の信号を発生する。加えて、この電子装置の実施形態は、センサに接続されており、センサから第一の信号を受け取って、電子装置の人の利用を示すデータを発生するプロセッサを含み得る。さらに、電子装置は、プロセッサからデータを受け取って、このデータで符号化されたデータ信号を発生する送信器を含み得る。
【００１１】
また、本書では、人の認知能力を監視して評価する方法の一実施形態を開示する。一実施形態では、少なくとも１台の電気製品を人の住宅に分配する。電気製品は、人の電気製品との相互作用を感知して相互作用データを送信するサーキットリを含み得る。この方法の実施形態はさらに、相互作用データを受け取って、人の電気製品との相互作用を表わす第一の統計値を発生するために相互作用データを解析するステップを含み得る。最後に、この方法の実施形態は、第一の統計値に基づいて患者の認知能力を評価するステップを含み得る。
【００１２】
これらの利点及び特徴並びに他の利点及び特徴は、添付図面と共に掲げられている以下の詳細な開示からさらに容易に理解されよう。
【図面の簡単な説明】
【００１３】
【図１】人の活動を遠隔監視するシステムの一実施形態の模式図である。
【図２】遠隔に位置する人の認知能力を監視するシステムの一実施形態の模式図である。
【図３】本書に開示するシステム又は方法の一実施形態と共に用いられ得る電気製品の一実施形態を示す図である。
【図４】本書に開示する方法の一実施形態でのステップを示す流れ図である。
【発明を実施するための形態】
【００１４】
図１は、住居１２の全体に分配された１又は複数の活動センサ１４を含む活動監視システム１０を示す。活動センサ１４は、無線式又は有線式の通信手法を介して通信中継器１８へ送信され得る通信信号１６を発生する。
【００１５】
センサ１４は、扉、戸棚、電気製品と接続して配置された運動センサ、又は住居１２にいる人が行なう活動に関するデータを収集して伝達するのに適したその他任意のセンサ若しくはセンサ位置を含み得る。他の適当なセンサ１４としては、事故センサ及び／又は警備センサ等がある。
【００１６】
センサ１４の１又は複数が異例の出来事を検出した場合には、電話連絡等を介して住居の外部の位置から住居にいる患者と連絡を取ることにより住居１２における介入を行なうことができる。代替的には、介護者３８、又は緊急応答職員、血縁者若しくは後見人のような他の適当な人物による訪問を開始してもよい。
【００１７】
通信中継器１８は、例えば有線電話、無線電話、双方向無線電話器、ポケット・ベル、ケーブル・テレビ、インターネット、又はその他任意の無線通信プラットフォームのような適当な有線式又は無線式の通信プラットフォーム２４を介して遠隔監視センター２２へデータを含むデータ信号２０を送ることにより、センサ１４から収集されたセンサ・データすなわちデータ点を伝達する。選択された通信プラットフォーム２４に応じて、データ信号２０は、近実時間で送られてもよいし、不連続な間隔、規則的な間隔又は不規則な間隔で送られてもよい。例えばデータ信号２０は、無線電話、双方向無線電話器、ポケット・ベル、ケーブル・テレビ、インターネット又はその他任意の無線通信プラットフォームを介して近実時間で送られ得る。有線電話通信プラットフォームの場合には、データ信号２０はバッファリングされて、様々な時間間隔で送信され得る。
【００１８】
住居１２から遠隔に配置されている遠隔監視ステーション２２は、データベース４２、プログラム可能な事象検出器２６、及び状態報告発生器２８を含んでいる。データベース４２は、信号２０を介して伝達されたセンサ・データの収集装置となる。介護者３８が状態報告を要請したら、センサ・データはデータベース２４から状態報告発生器２８へ転送される。状態報告発生器２８は、介護者３８のコンピュータ・ワークステーション３２に状態信号３０を伝達する。状態信号３０は、幾つかの実施形態では近実時間であってよく、すなわち３分間まで及び３分間を超えて殆ど瞬時と言える範囲での任意の位置への信号の伝送を含む。例えば双方向ポケット・ベル通信プラットフォーム２４の場合には、通信に要する時間量は２分〜３分間であり得る。状態報告発生器２８は、例えば１０分間毎のような一定間隔で各々の住居１２についての報告を更新するようにプログラムされ得る。状態信号３０は、状態報告発生器２８によって発生される報告を含んでいてよい。報告の書式及び内容は、介護者３８の要請に依存し得る。尚、コンピュータ・ワークステーション３２を介するのではなく、代替的に携帯情報端末（ＰＤＡ）又は他のスマート装置と信号３０をやり取りし得ることを認められたい。
【００１９】
介護者３８はまた、住居１２で生じた場合に事象と看做されるような幾つかの活動を選択することができる。事象は一般的には、状態遷移（一つの状態から他の状態への遷移、例えば活動から静寂への遷移等）のように、介護者３８が評価したがるであろう活動又は任意の重要な遷移発生を含んでいる。例えば人の起床時間、異例に長い静寂若しくは非活動時間、又は玄関扉の利用は、重要な活動又は状態遷移発生と看做され得る。介護者３８は、信号３４を介して遠隔監視センター２２に対し事象を構成するもののパラメータを伝達する。介護者３８は事象を構成するものを定義する能力は与えられない場合もあるが、予め定義されている活動の集合から事象を構成する活動又は動作を選択することは許されていてよい。さらに、各実施形態では、介護者３８は、住居１２にいる患者の正常な活動に合致する事象を構成設定するパラメータを設定することができる。例えば介護者３８は、例えば「起床」を構成しているものを定義することはないが、何時になったら「起床」が遅いと看做されるかを定義することはできる。センサ・データは、監視センター２２において記憶されて処理される。データが事象の発生を示していたら、例えば有線電話若しくは無線電話、ＰＤＡ、スマート装置、双方向無線電話器、電子メール、又は例えばポップ・アップ式通知フォーマット等を介した他のインターネット支援式通信媒体のような任意の適当な通信媒体を介して介護者３８に対し信号３６を送ることができる。すると、介護者３８に、住居１２に在宅している人との連絡路４０を開設する機会が与えられる。連絡路４０は有線式又は無線式の電話線、及びインターネット・ブラウザ（すなわち電子メール又は他のインターネット方式通信ツール）、ケーブル・テレビ、ＰＤＡ、又は他のスマート装置を介したものであってよい。代替的には、連絡路４０は、介護者３８又は他の適当な人物による人への訪問であってもよい。
【００２０】
活動監視システム１０は、活動センサ１４を利用して、住居１２内にいる人の活動を監視する。介護者３８へ送られる規則的な状態信号３０に加えて、遠隔監視ステーション２２のプログラム可能な事象検出器２６もまた、データベース４２に記憶された患者データを解析して、異常な活動が検出されたときに介護者３８に警報を送る信号３６が発生されるようにしている。
【００２１】
このように、上で開示した活動監視システム１０は、人の活動を監視して住居１２から遠隔に位置する介護者３８に時宜を得た警報を与えることのできる実効的なシステムを提供する。尚、上の記載では住居等の用語を用いているが、かかる用法は患者の任意の形式の住宅を包含するものであって、単一家族構造に限定されている訳ではないことを特記しておく。このようなものとして、住居との用語の利用はまた、分譲マンション若しくは賃貸マンション、コーポラティブ・ハウス若しくは他の多人数居住構成、又は人が居住している介護施設の１若しくは複数の居室を包含し得る。
【００２２】
活動監視システム１０は、患者の介護又は患者への付加的な連絡が必要とされるような緊急の場合の時宜を得た通報を介護者３８に提供するものであるが、監視システムを用いて独居者の精神状態又は認知状態を監視して判定することを可能にすることも望ましい。図２は、認知能力監視システム５０の一実施形態を示す。監視システム５０は、人５４の住宅５２を含んでいる。尚、上と同様に、住宅５２は本書では単一家族向け住宅に限定されている訳ではなく、単一家族、賃貸マンション若しくは分譲マンション、コーポラティブ・ハウス若しくはグループ・ホーム、又は患者５４が居住することのできる介護施設の居室等を含めた任意の形式の居宅を包含する広い意味に解釈されるものとする。
【００２３】
住宅５２は、住宅５２の全体に分配された複数の電子装置５６を含み得る。電子装置５６は幾つかの実施形態では、典型的な住宅に広く見受けられるような電気製品を含む。電子装置５６の範囲内に含まれると看做され得る非限定的な例示的な電気製品の一覧としては、コンロ、コーヒー・ポット、電子レンジ、冷蔵庫、食器洗い器及び／又は乾燥器等がある。他の電子装置５６としては、テレビ又はラジオ等のものがある。
【００２４】
電子装置５６は各々、電子装置５６の人５４による利用に関するデータを含むデータ信号５８を発生する。このことについては後にあらためて詳述する。データ信号５８は、システム５０の具現化形態に最適なように有線接続又は無線接続を介して送信され得る。データ信号５８は、住宅５２と関連した任意の場所に位置する通信中継器６０によって受信され且つ／又は処理される。通信中継器６０は、電子装置５６の各々の中心位置に配置されていてもよいし、データの送信を容易にする等のために住宅５２内の１箇所に配置されていてもよい。通信中継器６０は、電子装置５６からデータ信号５８を受け取り、データを処理して、合成データ信号６２を介して遠隔監視ステーション６４にデータを送信する。
【００２５】
幾つかの実施形態では、通信中継器６０は受け取ったデータ信号５８に対し、受け取ったデータ信号５８をフィルタ処理し且つ／又はディジタル化すると共に合成データ信号６２を生成する信号処理を施してもよい。代替的には、通信中継器６０は単に、データ信号５８を合成して合成データ信号６２を形成してもよい。他の場合には、通信中継器６０は受け取ったデータ信号５８を多重化して合成データ信号６２として送信してもよい。
【００２６】
代替的な実施形態では、データ信号５８は遠隔監視ステーション６４へ直接送信される。この手法は、介護施設又は生活支援施設等のように遠隔監視ステーション６４が住宅５２に十分に近接して位置しているときに用いられてよく、又はデータ信号５８が電子装置５６からインターネットによるデータ接続を用いて送信される場合に用いられてもよい。
【００２７】
一旦、合成データ信号６２が遠隔監視ステーション６４によって受領されたら、合成データ信号６２からのデータを処理前（raw）電子装置データのデータベース６６に記憶させる。処理前電子装置データは、評価モジュール６８によって処理され得るようになる時刻までデータベース６６に記憶される。
【００２８】
評価モジュール６８は、データベース６６に記憶されている電子装置５６からのデータを処理する。評価モジュール６８は最初に、電子装置５６の各々の人５４による利用の基準判定を展開するために受け取った信号を処理する。基準は、患者による電子装置の標準的な又は通常の利用を識別するものとして用いられ、典型的には、１日、１週、１ヶ月又は複数月のような時間にわたって収集されたデータを解析することにより達成される。この基準判定は、評価履歴７０のデータベースに記録される。評価履歴７０のデータベースは、基準的又は日常的な電子装置の利用を、評価モジュール６８によって決定された患者の電子装置利用の新たに導かれた評価に対して後に比較することを可能にする。このように、異なる時刻に行なわれた評価の間での比較から、人の認知能力のあらゆる減退に関する情報を得ることができる。次いで、これらの判定を監視ステーション６４から患者５４の介護及び監視を担当している医師のコンピュータ・ワークステーション７２へ報告する。
【００２９】
ここで、電子装置の人の利用を表わすデータ信号５８について、図３に関してさらに詳細に説明する。同図は、本書に開示するシステムによる電子装置の実施形態の一例を示す。図３に示す実施形態では、電子装置５６は電子レンジ７４である。電子レンジ７４はユーザ・インタフェイス７６を含んでおり、ユーザ・インタフェイス７６はさらに、表示器７８と、複数のボタン及び／又は制御部８０とを含んでいる。人は、自分が任意の電子レンジを動作させるような通常の態様で電子レンジ７４を動作させる。人は、制御部８０を用いてエネルギ・レベル及び調理時間のような典型的な命令を入力して電子レンジ機能をプログラムする。すると、人は、入力された機能の出力を表示器７８において確認することができる。
【００３０】
ここで開示される電子レンジ７４は、ユーザ・インタフェイス７６からの入力８４を受け取るプロセッサ８２をさらに含んでいる点で標準的な電子レンジとは異なる。ユーザ・インタフェイスからの入力８４は、電子レンジ７４を動作させるのに必要とされる入力を超えるものであり、ユーザ・インタフェイス７６が人によって操作される方法の指標を含んでいる。これらの入力８４は、電子レンジ７４が用いられている日中の時刻及び人の利用時に作動された特定のボタン又は制御部８０に関する情報を含み得る。入力８４に含まれ得る制御部８０の人の利用に関する情報は、制御部の各々の選択／作動の順序、及び／又は制御部８０の各々についての人の選択の間での遅延タイミングを含み得る。これらの入力８４の全てがプロセッサ８２へ送られて、プロセッサ８２は入力８４をさらに処理してもよいし、データ信号８８を発生する送信器８６へ入力８４を直接送り付けてもよい。
【００３１】
次に、電子レンジ７４は、圧力センサ８９又は活動センサ９０のような付加的なセンサを含んでいてもよい。これら付加的なセンサを用いて、電子レンジ７４の人による実際の利用を表わす追加の入力をプロセッサ８２へ与えることができる。圧力センサ８９は、物体が電子レンジ７４に配置されたときを圧力センサ８９が感知するように、電子レンジ７４の作動空間の内部に配設され得る。電子レンジ７４の作動空間のような電気製品の作動空間は、何らかの物体が配置される又は加工される電気製品の部分を指す場合がある。
【００３２】
圧力センサ８９からの入力９４は、プロセッサ８２へ送られる。活動センサ９０が、電子レンジ７４の扉９８又は他の電気製品の他の類似構成要素に付設され得る。すると、活動センサ９０は、扉９８の動作を感知して、付加的な活動センサ入力９６をプロセッサ８２へ与えることができる。プロセッサ８２へ与えられる圧力センサ入力９４及び活動センサの入力９６は、ユーザ・インタフェイス７６に対する人の操作を示すユーザ・インタフェイス入力８４とは異なり、電子レンジ７４の人による実際の利用の指標を与える。ユーザ・インタフェイス７６、圧力センサ８９、及び／又は活動センサ９０からのデータは、送信器８６を介して遠隔監視ステーション６４（図２）へ送信される。
【００３３】
上述のように、また図２に関して以下でさらに詳述するように、遠隔監視ステーション６４は、電子装置５６の１又は複数からの合成データ信号を用いて、人の認知能力の初期評価を実行する。この人の認知能力の評価は、特定の電子装置５６の人の慣例的利用、電子装置５６を動作させるときに入力する命令と命令との間の時間の長さ、人が電子装置５６に命令を入力するときの正確さ、及び／又は電子装置５６の人の実際の適正利用のような合成データの特徴を観察することができる。電子装置５６の人の実際の適正利用は、圧力センサ及び活動センサからの入力をユーザ・インタフェイスからの入力と比較することにより監視される。この比較から、電子レンジ７４の例の場合で述べると、人が電子レンジに最初に適正に物体を入れ、次いで、電子レンジに配置された物体を加熱するように電子レンジを適正にプログラムしたか否かについての指標が得られる。適正な動作は、電子レンジに物体を入れたとの指標が受信されないのに、電子レンジ７４がプログラムされて動作させられているといった例と対照的なものである。
【００３４】
電子装置５６の各々に対する人の利用における相違は経時的に記録される。このように、人の認知能力（又はその減退）を一定期間にわたって、人が電子装置を正しく動作させるのにかかる時間量が長くなった、又は電子装置が不適正に動作させられている事例の数が増え始めている等として評価することができる。
【００３５】
一定期間にわたる認知能力の減退の監視ばかりでなく、システム５０は、人の精神状態に関する診断情報を与える。人が電子装置をプログラムしているのに圧力センサ及び／又は活動センサは電子装置の作動空間９２（図３）に物体が入れられたことを検出することができないような事例は、認知症又はアルツハイマー病のような状態の開始を示す場合がある。電子装置の反復的で高頻度の利用又は儀式的利用は、強迫神経症のような他の状態の指標を与える。
【００３６】
独居者に関するもう一つの不安の原因は、患者が十分な栄養を取っているか否かである。一般的な調理用電気製品の人の利用及び動作を監視すると、人が自分の食事をうまく準備しているか否かについての指標が得られる。このことは、面接時又は往診時には患者が巧みにかわす場合のある話題であり得る。ここで開示する実施形態は、この付加的な医療データを得る能力を与える。
【００３７】
本書ではまた、認知能力を監視し評価する方法１００の一実施形態を開示する。図４は、方法１００の一実施形態のステップを示す流れ図である。方法１００の実施形態はステップ１０２で開始し、このステップでは人の住宅の全体に複数の電気製品を分配する。ステップ１０２で分配される電気製品は、人の電気製品との相互作用を当該電気製品が監視するように特別に設計されて付加的なセンサを装備されている電気製品である。ステップ１０２で分配されるかかる電気製品の実例については本書で詳細に開示した。次に、ステップ１０４では、電気製品相互作用データを受け取る。電気製品相互作用データは、ステップ１０２に関して上で述べたようなセンサによって記録されるデータであってもよいし、当業者に認められるような他の電気製品相互作用データであってもよい。電気製品相互作用データはステップ１０４において、複数の電気製品からのデータ信号の有線伝送又は無線伝送を介して受領される。
【００３８】
次いで、受領された電気製品データをステップ１０６において解析して、人の電気製品との相互作用に関する第一の統計値を発生する。ステップ１０６において発生される第一の統計値としては、限定しないが電気製品に正しく物体を出し入れしている率、誤った相互作用順序の事例の測度、全相互作用持続時間、人の電気製品との相互作用における特定の事象と事象との間の時間、及び／又は人が電気製品と相互作用する頻度等のような統計値がある。
【００３９】
次いで、ステップ１０６において発生された第一の統計値をステップ１０８において用いて人の認知能力を評価する。人はステップ１０８において、正常な認知能力を有すると評価される場合もあるし、減退しつつある認知能力についての予め存在する状態を有すると評価される場合もある。代替的には、ステップ１０８での評価は、ステップ１０６からの第一の統計値の解析からの基準又は「正常」水準の判定を含み得る。この基準判定は、この方法の代替的な実施形態において後に行なわれる解析に用いられ得る。
【００４０】
一つのかかる代替的な実施形態では、ステップ１０８において人の認知能力の最初の評価が行なわれた後に、方法はステップ１０４へ戻り、付加的な電気製品相互作用データを受け取る。このステップは、１時間後、１日後、１ヶ月後又は数ヶ月後に生じ得る。このステップの実行は典型的には、規則的な間隔で生じてもよいし、監視担当医の要請に応じて促されたときに生じてもよい。一旦、新たな電気製品相互作用データがステップ１０４において受領されたら、この相互作用データをステップ１１０において解析して、人の電気製品との相互作用に関する第二の統計値を発生する。第二の統計値は、ステップ１０６に関して指定されたような解釈データの幾つか又は全てであってよい。次いで、この第二の統計値をステップ１１２において用いて、人の認知能力の新たな評価を実行する。このように、この代替的な実施形態は、担当医がこれらの周期的評価を検討し得るように規則的な間隔で人の認知能力の新たな評価を発生する。
【００４１】
さらにもう一つの実施形態では、第一の統計値に基づいてステップ１０８において発生された人の認知能力の評価、及び第二の統計値に基づくステップ１１２からの人の認知能力の評価をステップ１１４において比較する。ステップ１１４における第一及び第二の統計値の比較は、ステップ１０６又は１１０において発生される統計値の任意のものにおける増大又は減少を単純に測定するものであってよい。次いで、このステップ１１４での第一及び第二の統計値の比較をステップ１１６において用いて、人の認知能力のあらゆる変化を評価する。人の認知能力の変化は、患者と電気製品との間の相互作用の時間が長くなっていること、電気製品に物体を正しく出し入れしていない率の増大、又はユーザ・インタフェイスを通じて電気製品を正しく動作させていない率の増大から看取され且つ／又は決定され得る。加えて、ステップ１１６での人の認知能力の変化の評価はまた、人の電気製品との相互作用の任意の特定のパターンの判定を含み得る。ステップ１１６において実行され得る以上に述べた評価の列挙は例示的なものであって、当業者によって実行され得る評価を限定するものではない。
【００４２】
本書に開示するシステム及び方法の実施形態は、認知能力の非侵襲的遠隔監視を提供するシステム及び方法の利益を与える。この認知能力を監視する形態は、看護師又は他の医師が人を物理的に訪問して認知能力を決定するための人の観察及び面接に頼ることにより蒙ったであろう費用を軽減する。加えて、人の認知能力の適正な評価を下すことができる結果として、人の認知能力に見合った生活状況に人を適正に配置することができる。これらの生活配置としては、独居、支援付き生活、又は介護施設でのケア等がある。本書に開示するようなシステム及び方法の実施形態の具現化形態は、人の認知能力の評価の基礎を与え、従って人の適正な生活状況を評価する付加的なツールを提供する。
【００４３】
本書に開示するような複数の電子装置の人による利用を遠隔監視するシステム及び方法はまた、独居者から、他の方法では得ることが困難であり得るような医学的に有用なデータを得ることができるため有益であり得る。人は、自立性を失うことを恥じ、又は自立性を失いたくないものであるから、認知能力の弱点又は減退をごまかしたり隠そうとしたりする。このことは、十分な栄養を自分で十分に取ることができない人について上に掲げた例の場合のように、この状態が人の健康の衰えとして顕在化するまで何も検出されないという事態を招き得る。このように、本書に開示するシステム及び方法の実施形態は、かかる医学的問題の背後にある原因又は開始に対する警告を与えることができる。
【００４４】
本書に開示するシステム及び方法の実施形態の幾つかは、１又は複数のコンピュータ又は処理装置の利用を介して単独で具現化されてもよい。これらの装置は、コンピュータ・モジュール及びアルゴリズムのアプリケーションのような具現化形態を用いて本書に開示するような作用を果たすことができる。これらの実施形態では、コンピュータによる具現化形態の技術的効果は、遠隔に位置する人の認知能力及びその指標を評価するツールを医師に提供することである。
【００４５】
この書面の記載は、最適な態様を含めて発明を開示し、また当業者が本発明を製造して利用することを可能にするように実例を用いている。本発明の特許付与可能な範囲は特許請求の範囲によって画定され、当業者に想到される他の実例を含み得る。かかる他の実例は、特許請求の範囲の書字言語に相違しない構造要素を有する場合、又は特許請求の範囲の書字言語と非実質的な相違を有する等価な構造要素を含む場合には、特許請求の範囲内にあるものとする。
【符号の説明】
【００４６】
１０  患者活動監視システム
１２  住居
１４  活動センサ
１６  通信信号
１８  通信中継器
２０  データ信号
２２  遠隔監視ステーション
２４  通信プラットフォーム
２６  プログラム可能な事象検出器
２８  状態報告発生器
３０  状態信号
３２  コンピュータ・ワークステーション
３４、３６  信号
３８  介護者
４０  連絡路
４２  データベース
５０  患者認知能力監視システム
５２  住宅
５４  患者
５６  電子装置
５８  データ信号
６０  通信中継器
６２  合成データ信号
６４  遠隔監視ステーション
６６  データベース
６８  評価モジュール
７０  データベース
７２  ワークステーション
７４  電子レンジ
７６  ユーザ・インタフェイス
７８  表示器
８０  制御部
８２  プロセッサ
８４  ユーザ・インタフェイス入力
８６  送信器
８９  圧力センサ
９０  活動センサ
９２  作動空間
９４  圧力センサ入力
９６  活動センサ入力
９８  扉
【図１】
0005555443.tif 000002
【図２】
0005555443.tif 000003
【図３】
0005555443.tif 000004
【図４】
0005555443.tif 000005